【手続補正書】
【提出日】平成17年3月9日(2005.3.9)
【手続補正１】
【補正対象書類名】明細書
【補正対象項目名】特許請求の範囲
【補正方法】変更
【補正の内容】
【特許請求の範囲】
【請求項１】
主情報信号と少なくとも著作権保護に関する情報とが記録された記録媒体から、前記主情報信号と前記著作権保護に関する情報とを読み出す情報信号読み出し装置と、前記情報信号読み出し装置から前記主情報信号と前記著作権保護に関する情報の供給を受ける情報信号処理装置とからなり、
前記情報信号読み出し装置は、
前記記録媒体に記録されている前記著作権保護に関する情報を読み出す読み出し手段と、
前記読み出し手段により読み出された前記著作権保護に関する情報を暗号化する暗号化手段と、
前記暗号化手段により暗号化した前記著作権保護に関する情報と、暗号化しない前記著作権保護に関する情報とを前記情報信号処理装置に供給する手段と
を備え、
前記情報信号処理装置は、
前記情報信号読み出し装置からの暗号化された前記著作権保護に関する情報の暗号解読を行う暗号解読手段と、
前記情報信号読み出し装置から暗号化されずに供給された前記著作権保護に関する情報と、前記暗号解読手段により暗号解読された著作権保護に関する情報とに基づいて、前記主情報信号に対して行う所定の処理を制御する制御手段と
を備えることを特徴とする情報信号再生システム。
【請求項２】
主情報信号と少なくとも著作権保護に関する情報とが記録された記録媒体から、前記主情報信号と前記著作権保護に関する情報とを読み出す情報信号読み出し装置と、前記情報信号読み出し装置から前記主情報信号と前記著作権保護に関する情報の供給を受ける情報信号処理装置とからなり、
前記情報信号読み出し装置は、
前記記録媒体に記録されている前記著作権保護に関する情報を読み出す読み出し手段と、
前記読み出し手段により読み出された前記著作権保護に関する情報を暗号化する暗号化手段と、
前記暗号化手段により暗号化した前記著作権保護に関する情報と、暗号化しない前記著作権保護に関する情報とを前記情報信号処理装置に供給する手段と、
前記情報信号処理装置からの読み出し制御情報に基づいて、前記記録媒体からの主情報信号の読み出し処理を制御する読み出し制御手段と
を備え、
前記情報信号処理装置は、
前記情報信号読み出し装置からの暗号化された前記著作権保護に関する情報の暗号解読を行う暗号解読手段と、
前記情報信号読み出し装置から暗号化されずに供給された前記著作権保護に関する情報と、前記暗号解読手段により暗号解読された著作権保護に関する情報とに基づいて、前記読み出し制御情報を生成して、前記情報信号読み出し装置に供給する読み出し制御情報生成手段と
を備えることを特徴とする情報信号再生システム。
【請求項３】
主情報信号と少なくとも著作権保護に関する情報とが記録された記録媒体から、前記主情報信号と前記著作権保護に関する情報とを読み出し、情報信号処理装置に供給する情報信号読み出し装置であって、
前記記録媒体に記録されている前記著作権保護に関する情報を読み出す読み出し手段と、
前記読み出し手段により読み出された前記著作権保護に関する情報を暗号化する暗号化手段と、
前記暗号化手段により暗号化した前記著作権保護に関する情報と、暗号化しない前記著作権保護に関する情報とを前記情報信号処理装置に供給する手段と
を備ることを特徴とする情報信号読み出し装置。
【請求項４】
主情報信号と少なくとも著作権保護に関する情報とが記録された記録媒体から、前記主情報信号と前記著作権保護に関する情報とを読み出し、情報信号処理装置に供給する情報信号読み出し装置であって、
前記記録媒体に記録されている前記著作権保護に関する情報を読み出す読み出し手段と、
前記読み出し手段により読み出された前記著作権保護に関する情報を暗号化する暗号化手段と
前記暗号化手段により暗号化された前記著作権保護に関する情報と、前記暗号化しない前記著作権保護に関する情報とを前記情報信号処理装置に供給する手段と、
前記情報信号処理装置からの読み出し制御情報に基づいて、前記記録媒体からの主情報信号の読み出し処理を制御する読み出し制御手段と
を備えることを特徴とする情報信号読み出し装置。
【請求項５】
主情報信号と、暗号化されている著作権保護に関する情報と、暗号化されていない著作権保護に関する情報との供給を受ける情報信号処理装置であって、
前記暗号化されている著作権保護に関する情報の暗号解読を行う暗号解読手段と、
前記暗号化されていない著作権保護に関する情報と、前記暗号解読手段により暗号解読された著作権保護に関する情報とに基づいて、前記主情報信号に対して行う所定の処理を制御する制御手段と
を備えることを特徴とする情報信号処理装置。
【請求項６】
主情報信号と、暗号化されている著作権保護に関する情報と、暗号化されていない著作権保護に関する情報との供給を受ける情報信号処理装置であって、
前記暗号化されている著作権保護に関する情報の暗号解読を行う暗号解読手段と、
前記暗号化されていない著作権保護に関する情報と、前記暗号解読手段により暗号解読された著作権保護に関する情報とに基づいて、前記主情報信号の供給を制御するための制御情報を生成し、前記主情報信号の供給元に供給するようにする制御情報生成手段と
を備えることを特徴とする情報信号処理装置。
【請求項７】
主情報信号と少なくとも著作権保護に関する情報とが記録された記録媒体から、情報信号読み出し装置により前記主情報信号と前記著作権保護に関する情報とを読み出し、情報信号処理装置に供給するようにする情報信号再生方法であって、
前記情報信号読み出し装置は、
暗号化した前記著作権保護に関する情報と、暗号化しない前記著作権保護に関する情報とを前記情報信号処理装置に供給し、
前記情報信号処理装置は、
前記情報信号読み出し装置からの暗号化された前記著作権保護に関する情報を暗号解読し、
前記情報信号読み出し装置から暗号化されずに供給された前記著作権保護に関する情報と、前記暗号解読された著作権保護に関する情報とに基づいて、前記主情報信号に対して行う所定の処理を制御する
ことを特徴とする情報信号再生方法。
【請求項８】
主情報信号と少なくとも著作権保護に関する情報とが記録された記録媒体から、前記主情報信号と前記著作権保護に関する情報とを読み出し、情報信号処理装置に供給するようにする情報信号読み出し方法であって、
暗号化した前記著作権保護に関する情報と、暗号化しない前記著作権保護に関する情報とを前記情報信号処理装置に供給することを特徴とする情報信号読み出し方法。
【請求項９】
前記著作権保護に関する情報は、前記記録媒体の種別を示す媒体種別情報であることを特徴とする請求項８に記載の情報信号読み出し方法。
【請求項１０】
主情報信号と少なくとも著作権保護に関する情報とが記録された記録媒体から、前記主情報信号と前記著作権保護に関する情報とを読み出し、情報信号処理装置に供給するようにする情報信号読み出し方法であって、
暗号化した前記著作権保護に関する情報と、暗号化しない前記著作権保護に関する情報とを前記情報信号処理装置に供給し、
前記情報信号処理装置からの読み出し制御情報に基づいて、前記記録媒体からの前記主情報信号の読み出し処理を制御することを特徴とする情報信号読み出し方法。
【請求項１１】
前記情報信号処理装置から供給される前記読み出し制御情報は暗号化されたものであり、
暗号化された前記読み出し制御情報を暗号解読することを特徴とする請求項１０に記載の情報信号読み出し方法。
【請求項１２】
前記著作権保護に関する情報は、前記記録媒体の種別を示す媒体種別情報であることを特徴とする請求項１０に記載の情報信号読み出し方法。
【請求項１３】
主情報信号と、暗号化されている著作権保護に関する情報と、暗号化されていない著作権保護に関する情報との供給を受けて、前記主情報信号に対して所定の処理を行うようにする情報信号処理方法であって、
前記暗号化されている前記著作権保護に関する情報を暗号解読し、
前記暗号化されていない記著作権保護に関する情報と、暗号解読された著作権保護に関する情報とに基づいて、前記主情報信号に対して行う所定の処理を制御する
ことを特徴とする情報信号処理方法。
【請求項１４】
前記著作権保護に関する情報は、前記記録媒体の種別を示す媒体種別情報であることを特徴とする請求項１３に記載の情報信号処理方法。
【請求項１５】
前記主情報信号には、複製を制御するための付加情報が付加されており、
前記主情報信号に付加されている前記付加情報を検出し、
検出した前記付加情報をも考慮して、前記主情報信号に対して行う前記所定の処理を制御することを特徴とする請求項１３に記載の情報信号処理方法。
【請求項１６】
前記付加情報は、電子透かし情報として前記主情報信号に重畳されているものであり、
前記主情報信号に重畳されている前記電子透かし情報を検出することを特徴とする請求項１５に記載の情報信号処理方法。
【請求項１７】
主情報信号と、暗号化されている著作権保護に関する情報と、暗号化されていない著作権保護に関する情報との供給を受けて、前記主情報信号に対して所定の処理を行うようにする情報信号処理方法であって、
前記暗号化された前記著作権保護に関する情報を暗号解読し、
前記暗号化されていない著作権保護に関する情報と、暗号解読された著作権保護に関する情報とに基づいて、前記主情報信号の供給を制御するための制御情報を生成し前記主情報信号の供給元に供給するようにする
ことを特徴とする情報信号処理方法。
【請求項１８】
前記制御情報を暗号化して、前記主情報信号の供給元に供給することを特徴とする請求項１７に記載の情報信号処理方法。
【請求項１９】
前記著作権保護に関する情報は、前記記録媒体の種別を示す媒体種別情報であることを特徴とする請求項１７に記載の情報信号処理方法。
【請求項２０】
前記著作権保護に関する情報に施されている暗号化処理と、前記制御情報に施される暗号化処理とは、異なるものであることを特徴とする請求項１８に記載の情報信号処理方法。
【請求項２１】
前記主情報信号には、複製を制御するための付加情報が付加されており、
前記主情報信号に付加されている前記付加情報を検出し、
検出された前記付加情報をも考慮して、前記制御情報を生成することを特徴とする請求項１７に記載の情報信号処理方法。
【請求項２２】
前記付加情報は、電子透かし情報として前記主情報信号に重畳されているものであり、
前記主情報信号に重畳されている前記電子透かし情報を検出することを特徴とする請求項１７に記載の情報信号処理方法。
【手続補正２】
【補正対象書類名】明細書
【補正対象項目名】００４０
【補正方法】削除
【補正の内容】
【手続補正３】
【補正対象書類名】明細書
【補正対象項目名】００４１
【補正方法】削除
【補正の内容】
【手続補正４】
【補正対象書類名】明細書
【補正対象項目名】００４２
【補正方法】削除
【補正の内容】
【手続補正５】
【補正対象書類名】明細書
【補正対象項目名】００４３
【補正方法】削除
【補正の内容】
【手続補正６】
【補正対象書類名】明細書
【補正対象項目名】００４４
【補正方法】削除
【補正の内容】
【手続補正７】
【補正対象書類名】明細書
【補正対象項目名】００４５
【補正方法】削除
【補正の内容】
【手続補正８】
【補正対象書類名】明細書
【補正対象項目名】００４６
【補正方法】削除
【補正の内容】
【手続補正９】
【補正対象書類名】明細書
【補正対象項目名】００４７
【補正方法】削除
【補正の内容】
【手続補正１０】
【補正対象書類名】明細書
【補正対象項目名】００４８
【補正方法】削除
【補正の内容】
【手続補正１１】
【補正対象書類名】明細書
【補正対象項目名】００４９
【補正方法】削除
【補正の内容】
【手続補正１２】
【補正対象書類名】明細書
【補正対象項目名】００５０
【補正方法】削除
【補正の内容】
【手続補正１３】
【補正対象書類名】明細書
【補正対象項目名】００５１
【補正方法】削除
【補正の内容】
【手続補正１４】
【補正対象書類名】明細書
【補正対象項目名】００５２
【補正方法】削除
【補正の内容】
【手続補正１５】
【補正対象書類名】明細書
【補正対象項目名】００５３
【補正方法】変更
【補正の内容】
【００５３】
また、請求項２に記載の発明の情報信号再生システムは、
主情報信号と少なくとも著作権保護に関する情報とが記録された記録媒体から、前記主情報信号と前記著作権保護に関する情報とを読み出す情報信号読み出し装置と、前記情報信号読み出し装置から前記主情報信号と前記著作権保護に関する情報の供給を受ける情報信号処理装置とからなり、
前記情報信号読み出し装置は、
前記記録媒体に記録されている前記著作権保護に関する情報を読み出す読み出し手段と、
前記読み出し手段により読み出された前記著作権保護に関する情報を暗号化する暗号化手段と、
前記暗号化手段により暗号化した前記著作権保護に関する情報と、暗号化しない前記著作権保護に関する情報とを前記情報信号処理装置に供給する手段と、
前記情報信号処理装置からの読み出し制御情報に基づいて、前記記録媒体からの主情報信号の読み出し処理を制御する読み出し制御手段と
を備え、
前記情報信号処理装置は、
前記情報信号読み出し装置からの暗号化された前記著作権保護に関する情報の暗号解読を行う暗号解読手段と、
前記情報信号読み出し装置から暗号化されずに供給された前記著作権保護に関する情報と、前記暗号解読手段により暗号解読された著作権保護に関する情報とに基づいて、前記読み出し制御情報を生成して、前記情報信号読み出し装置に供給する読み出し制御情報生成手段と
を備えることを特徴とする。
【手続補正１６】
【補正対象書類名】明細書
【補正対象項目名】００５４
【補正方法】変更
【補正の内容】
【００５４】
この請求項２に記載の発明の情報信号再生システムによれば、情報信号読み出し装置の情報信号読み出し手段により、著作権保護に関する情報が読み出される。この著作権保護に関する情報は、暗号化手段により暗号化される。そして、暗号化された著作権保護に関する情報と、暗号化されない著作権保護に関する情報とが情報信号処理装置に供給される。
【手続補正１７】
【補正対象書類名】明細書
【補正対象項目名】００５８
【補正方法】削除
【補正の内容】
【手続補正１８】
【補正対象書類名】明細書
【補正対象項目名】００５９
【補正方法】削除
【補正の内容】
【手続補正１９】
【補正対象書類名】明細書
【補正対象項目名】００６０
【補正方法】削除
【補正の内容】
【手続補正２０】
【補正対象書類名】明細書
【補正対象項目名】００６１
【補正方法】削除
【補正の内容】
【手続補正２１】
【補正対象書類名】明細書
【補正対象項目名】００６２
【補正方法】削除
【補正の内容】
【手続補正２２】
【補正対象書類名】明細書
【補正対象項目名】００６３
【補正方法】削除
【補正の内容】
【手続補正２３】
【補正対象書類名】明細書
【補正対象項目名】００６４
【補正方法】削除
【補正の内容】
【手続補正２４】
【補正対象書類名】明細書
【補正対象項目名】００６５
【補正方法】削除
【補正の内容】
【手続補正２５】
【補正対象書類名】明細書
【補正対象項目名】００６６
【補正方法】削除
【補正の内容】
【手続補正２６】
【補正対象書類名】明細書
【補正対象項目名】００６７
【補正方法】削除
【補正の内容】
【手続補正２７】
【補正対象書類名】明細書
【補正対象項目名】００６８
【補正方法】削除
【補正の内容】
【手続補正２８】
【補正対象書類名】明細書
【補正対象項目名】００６９
【補正方法】削除
【補正の内容】
【手続補正２９】
【補正対象書類名】明細書
【補正対象項目名】００７０
【補正方法】削除
【補正の内容】
【手続補正３０】
【補正対象書類名】明細書
【補正対象項目名】００７１
【補正方法】削除
【補正の内容】
【手続補正３１】
【補正対象書類名】明細書
【補正対象項目名】００７２
【補正方法】削除
【補正の内容】
【手続補正３２】
【補正対象書類名】明細書
【補正対象項目名】００７３
【補正方法】削除
【補正の内容】
【手続補正３３】
【補正対象書類名】明細書
【補正対象項目名】００７４
【補正方法】削除
【補正の内容】
【手続補正３４】
【補正対象書類名】明細書
【補正対象項目名】００７５
【補正方法】削除
【補正の内容】
【手続補正３５】
【補正対象書類名】明細書
【補正対象項目名】０１９８
【補正方法】削除
【補正の内容】
【手続補正３６】
【補正対象書類名】明細書
【補正対象項目名】０１９９
【補正方法】削除
【補正の内容】
【手続補正３７】
【補正対象書類名】明細書
【補正対象項目名】０２００
【補正方法】削除
【補正の内容】
【手続補正３８】
【補正対象書類名】明細書
【補正対象項目名】０２０１
【補正方法】削除
【補正の内容】
【手続補正３９】
【補正対象書類名】明細書
【補正対象項目名】０２０２
【補正方法】変更
【補正の内容】
【０２０２】
また、請求項２に記載の発明の情報信号再生システムによれば、著作権保護に関する情報を改ざんすることにより行なわれる違法に複製された情報信号の再生を確実に防止することができる。この場合、記録媒体からの主情報信号の読み出し自体が制御されるので、確実に主情報信号の再生を制御することができる。
【手続補正４０】
【補正対象書類名】明細書
【補正対象項目名】０２０３
【補正方法】削除
【補正の内容】
【手続補正４１】
【補正対象書類名】明細書
【補正対象項目名】０２０４
【補正方法】削除
【補正の内容】
【手続補正４２】
【補正対象書類名】明細書
【補正対象項目名】０２０５
【補正方法】削除
【補正の内容】
【手続補正４３】
【補正対象書類名】明細書
【補正対象項目名】０２０６
【補正方法】削除
【補正の内容】
【手続補正４４】
【補正対象書類名】明細書
【補正対象項目名】０２０７
【補正方法】削除
【補正の内容】
【手続補正４５】
【補正対象書類名】明細書
【補正対象項目名】０２０８
【補正方法】削除
【補正の内容】